【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
通信システム中のアクセスポイントからのリバースアクティビティビットを受信し、
フィルタを通ったリバースアクティビティビットを形成するためにこのリバースアクティビティビットをデジタルフィルタに通し、これにより前記リバースアクティビティビットの値が累積され、
このフィルタを通ったリバースアクティビティビットに基づいてデータレートを決定する、
アクセス端末のリバースリンク通信のデータレートを決定するための方法。
【請求項２】
更に、
前記フィルタを通ったリバースアクティビティビットを閾値と比較し、
この比較に基づいて、前記リバースリンク通信データレートの増加叉は減少のアグレッシブネスレベルの基準セットを定義するためのリバースリンクデータレート決定モードを決定し、
前記フィルタを通ったリバースアクティビティビットに基づくデータレートの決定を前記リバースリンクデータレート決定モードに応じて相関させる、
請求項１に記載の方法。
【請求項３】
通信システム中のアクセスポイントからのリバースアクティビティビットを受信し、
前記リバースアクティビティビットをデジタルフィルタに通してフィルタを通ったリバースアクティビティビットを形成し、
このフィルタを通ったリバースアクティビティビットに基づいてデータレートを決定し、
前記アクセス端末がアイドルモードであるかを決定し、
前記リバースアクティビティビットの実際の値に関係なく前記アクセス端末がアイドルモードのときに前記リバースアクティビティビットのノンビジー状態値を前記デジタルフィルタに通す、
アクセス端末のリバースリンク通信のデータレートを決定するための方法。
【請求項４】
通信システム中のアクセスポイントからのリバースアクティビティビットを受信するための手段と、
フィルタを通ったリバースアクティビティビットを形成するためにこのリバースアクティビティビットをデジタルフィルタに通し、これにより前記リバースアクティビティビットの値が累積される、手段と、
このフィルタを通ったリバースアクティビティビットに基づいてデータレートを決定する手段と、
を具備するアクセス端末のリバースリンク通信のデータレートを決定する装置。
【請求項５】
更に、
前記フィルタを通ったリバースアクティビティビットを閾値と比較する手段と、
この比較に基づいて、前記リバースリンク通信データレートの増加叉は減少のアグレッシブネスレベルの基準セットを定義するためのリバースリンクデータレート決定モードを決定する手段と、
前記フィルタを通ったリバースアクティビティビットに基づくデータレートの決定を前記リバースリンクデータレート決定モードに応じて相関させる手段と、
を具備する請求項４に記載の装置。
【請求項６】
通信システム中のアクセスポイントからのリバースアクティビティビットを受信するための手段と、
フィルタを通ったリバースアクティビティビットを形成するためにこのリバースアクティビティビットをデジタルフィルタに通す手段と、
このフィルタを通ったリバースアクティビティビットに基づいてデータレートを決定する手段と、
前記アクセス端末がアイドルモードであるか否かを決定する手段と、
そのアクセス端末が前記リバースアクティビティビットの実際の値の如何にかかわらずにアイドルモードであるときは前記リバースアクティビティビットのノンビジー状態値を前記デジタルフィルタに通す手段と、
を具備するアクセス端末のリバースリンク通信のデータレートを決定する装置。
【請求項７】
通信システム中のアクセスポイントからのリバースアクティビティビットを受信するための受信機と、
フィルタを通ったリバースアクティビティビットを形成するためにこのリバースアクティビティビットをデジタルフィルタに通し、このフィルタを通ったリバースアクティビティビットに基づいてデータレートを決定し、これにより前記リバースアクティビティビットの値が累積される、プロセッサと、
を具備するアクセス端末のリバースリンク通信のデータレートを決定する装置。
【請求項８】
前記プロセッサは、前記フィルタを通ったリバースアクティビティビットを閾値と比較し、この比較に基づいて前記リバースリンク通信データレートの増加叉は減少のアグレッシブネスレベルの基準セットを定義するためのリバースリンクデータレート決定モードを決定し、前記フィルタを通ったリバースアクティビティビットに基づくデータレートの決定を前記リバースリンクデータレート決定に応じて相関させるための命令を含む、
請求項７に記載の装置。
【請求項９】
通信システム中のアクセスポイントからのリバースアクティビティビットを受信するための受信機と、
フィルタを通ったリバースアクティビティビットを形成するためにこのリバースアクティビティビットをデジタルフィルタに通し、このフィルタを通ったリバースアクティビティビットに基づいてデータレートを決定するためのプロセッサとを具備し、
前記プロセッサは、前記アクセス端末がアイドルモードであるか否かを決定するための命令を含み、
更に、前記プロセッサは、前記リバースアクティビティビットの実際の値の如何にかかわらずに、そのアクセス端末がアイドルモードであるときは前記リバースアクティビティビットのノンビジー状態値を前記デジタルフィルタに通す、
アクセス端末のリバースリンク通信のデータレートを決定する装置。
【請求項１０】
通信システム中のアクセスポイントからのリバースアクティビティビットを受信し、
フィルタを通ったリバースアクティビティビットを形成するためにこのリバースアクティビティビットをデジタルフィルタに通し、
前記アクセス端末がアイドルモードであるか否かを決定し、
そのアクセス端末がアイドルモードであるときは前記リバースアクティビティビットのノンビジー状態値を前記デジタルフィルタに通し、
前記フィルタを通ったリバースアクティビティビットを閾値と比較し、
この比較に基づいて前記リバースリンク通信データレートの増加叉は減少のアグレッシブネスレベルの基準セットを定義するためのリバースリンクデータレート決定モードを決定し、
前記リバースリンクデータレート決定モードに対応する前記フィルタを通ったリバースアクティビティビットに基づいて前記データレートを決定する、
アクセス端末のリバースリンク通信のデータレートを決定する方法。
【請求項１１】
通信システム中のアクセスポイントからのリバースアクティビティビットを受信する手段と、
フィルタを通ったリバースアクティビティビットを形成するためにこのリバースアクティビティビットをデジタルフィルタに通す手段と、
前記アクセス端末がアイドルモードであるか否かを決定する手段と、
そのアクセス端末がアイドルモードであるときは前記リバースアクティビティビットのノンビジー状態値を前記デジタルフィルタに通す手段と、
前記フィルタを通ったリバースアクティビティビットを閾値と比較する手段と、
この比較に基づいて前記リバースリンク通信データレートの増加叉は減少のアグレッシブネスレベルの基準セットを定義するためのリバースリンクデータレート決定モードを決定する手段と、
前記リバースリンクデータレート決定モードに対応してリバースアクティビティビットに基づいて前記データレートを決定する手段と、
を具備するアクセス端末のリバースリンク通信のデータレートを決定する装置。
【請求項１２】
更に、前記フィルタを通ったリバースアクティビティビットに基づいてリバースリンクデータレート決定のモードを選択して選択モードに設定するステップを有し、
前記データレート決定のステップは、前記リバースアクティビティビットに対してこの選択されたモードを適用するステップを含む、請求項１に記載の方法。
【請求項１３】
通信システム中のアクセスポイントからのリバースアクティビティビットを受信し、
フィルタを通ったリバースアクティビティビットを形成するためにこのリバースアクティビティビットをデジタルフィルタに通し、
このフィルタを通ったリバースアクティビティビットに基づいてデータレートを決定し、
前記フィルタを通ったリバースアクティビティビットに基づいてリバースリンクデータレート決定のモードを選択して選択モードに設定し、
前記データレート決定のステップは、前記リバースアクティビティビットに対してこの選択されたモードを適用するステップを含み、
前記デジタルフィルタに通すステップは、
前記アクセス端末がアイドル状態でないときには前記リバースアクティビティビットを前記デジタルフィルタに通し、前記リバースアクティビティビットの実際の値にかかわらず前記アクセス端末がアイドル状態のときには前記リバースアクティビティビットが非ビジー状態である時に対応する値を前記デジタルフィルタに通すステップを含む、アクセス端末のリバースリンク通信のデータレートを決定する方法。
【請求項１４】
ＣＤＭＡ通信システムのアクセスポイントからのリバースアクティビティビットをアクセス端末で受信し、
フィルタを通したリバースアクティビティビットを用いることにより予め受信された値からセクタローディングの指示を見積もり、
このセクタローディングの指示に基づいて、クローズドループリソースアロケーション（ＣＬＲＡ）のレートリミットを決定する、
符号分割多重接続（ＣＤＭＡ）通信システムのアクセス端末のリバースリング通信のデータレートについてＣＬＲＡレートリミットを決定する方法。
【請求項１５】
更に、前記セクタローディングの指示に基づいてリバースリンクデータレート決定のモードを選択して選択モードに設定するステップを有し、
前記ＣＬＲＡレートリミット決定のステップは、前記選択されたモードに応じてリバースアクティビティビットを処理するステップを含む、請求項１４に記載の方法。
【手続補正２】
【補正対象書類名】明細書
【補正対象項目名】００２４
【補正方法】変更
【補正の内容】
【００２４】
一つの実施形態において、システムとしてはｃｄｍａ２０００  １ｘＥＶ−ＤＯシステムが用いられる。このシステムの主な特徴は公知のＩＳ−８５６データ通信スタンダードに定義されている。このスタンダードは符号分割多重接続（ＣＤＭＡ）スタンダードのＩＳ−９５ファミリーに基づいている。名称“１ｘＥＶ−ＤＯ”はｃｄｍａ２０００ファミリー（“１ｘ”）およびデータ最適化（“ＤＯ”）動作のためのスタンダード（“ＥＶ”）の発展に関連して付されている。１ｘＥＶ−ＤＯシステムは無線インターネット接続のために主として最適化され、このためにフォワードリンク上における高いデータスループットが望ましい。    
【手続補正３】
【補正対象書類名】明細書
【補正対象項目名】００４０
【補正方法】変更
【補正の内容】
【００４０】
システムの最大データレートＲ１はアクセスネットワークおよびアクセス端末を含むシステムの設計に基づいている。このデータレートＲ１はアクセスネットワークによって設定されるが殆ど変化がなく、従って固定値と考えられる。データレートＲ1はアクセス端末にＲｎｅｗを計算するために記憶される。
【手続補正４】
【補正対象書類名】明細書
【補正対象項目名】００５１
【補正方法】変更
【補正の内容】
【００５１】
しかしながら、Ｒ4の決定は、この発明の種々の実施形態ではＲＡＢの現在値とともにＲＡＢのフィルタを通った値を考慮に入れて行われる。比較的に負荷の大きいセクタにおいてもＲＡＢの値は通常は（０）にセットされず、又はその逆となる。この場合、信号の変動と干渉のレベルとによりＲＡＢは１にセットされる代わりに０にセットされる。ＲＡＢが１にセットされる時間と０にセットされる時間との相対時間はセクタにおける負荷の指標となり、各ＡＴによって直接に計測できる。従って、フィルタを通ったＲＡＢの値はセクタの負荷の大きさを反映し、この発明の種々の実施形態において、最適レートの決定に用いられる。ＲＡＢがゼロに設定されてノットビジーを表し、セクタが重い負荷となっているときは、Ｒ4のレートの変動は抑圧され、Ｒ4が低いデータレートから高いデータレートに変移する確率とレートＲ４への移行は抑圧される。アクセス端末ではセクタの負荷に関する直接的な情報は得られないが、この発明の種々の実施形態においては、ＲＡＢの以前に受信された値とフィルタを通ったＲＡＢの値とを用いて推定することができる。ＲＡＢの現在値のみを用いた場合には、Ｒ4のレート決定アルゴリズムに許容された最も積極的な方法は現在のレートから次のレートへ即時にジャンプすることであり、これは移行確率が１にセットされている時に行われる。しかしながら、幾つかのアプリケーションにおいては、アクセス端末においてそのＲ4の値をフレーム内で数レベル増加させることが必要となり、これによりＲ4の値の“クイックスタート”が可能となる。この発明の種々の実施形態によれば、ＲＡＢのフィルタを通った値に示されたようにセクタの負荷に対するＲ4の値の決定に積極的にアクセス端末を“適応”するようにできる。この発明の種々の実施形態によれば、Ｒ4のクイックスタートはあるデータレートから一つ叉は複数上のデータレートへの移行である。
【手続補正５】
【補正対象書類名】明細書
【補正対象項目名】００５４
【補正方法】変更
【補正の内容】
【００５４】
データレートが順次増加することにより生じる初期遅れを避けるために、およびデータレートを再びランプアップさせる必要があるために、この発明の一実施形態のシステムではフィルタードＲＡＢを用いる。これにより、この発明の種々の実施形態において、Ｒ4をある程度積極的に決定することができる。Ｒ4の決定のために、閾値Ｔｉの番号（Ｎ）、ここで１≦ｉ≦Ｎ、および０＜Ｔ１＜Ｔ２＜・・・＜ＴＮ＜１が定義される。これらの閾値に応じてＲ4の決定のためのＮ＋１の動作モードがある。これらのモードの違いは伝送確率ベクトルとＲ4の決定のための最大レート移行ステップである。動作モードはフィルタを通ったＲＡＢ（ｆＲＡＢ）の値に基づいて選択することができる。ＲＡＢの値は固定叉は可変時定数のデジタルフィルタに供給される。フィルタの時定数に対応する一定時間に受信されたＲＡＢの値は蓄積される。Ｒ4を決定するための動作モードはｆＲＡＢの値に基づいている。動作モードをＭｉとすると、動作モードは閾値Ｔｉと比較されるｆＲＡＢの値に基づいて選択される。例えば、図５に示すように、Ｒ4の計算のための動作モードを決定するためのアルゴリズムがこの発明の種々の実施形態に従って実行される。受信されたＲＡＢの値は図３のＡＴ中のフィルタに蓄積される。プロセッサ４２はこのフィルタを実現するためのメモリユニットを含む。図５のアルゴリズムは以下のように記載することができる。
もし０≦ｆＲＡＢ＜Ｔ１なら、ｍ１中のＲＬＭａｃを選択する。
もしＴｉ−１≦ｆＲＡＢ＜Ｔｉなら、ｍｉ中のＲＬＭａｃを選択する。
但し２≦ｉ＜Ｎである。
もしＴＮ≦ｆＲＡＢ＜１なら、ｍＮ＋１中のＲＬＭａｃを選択する。
更に積極的な動作モードがｆＲＡＢのより低い値に対して用いられる。例えば、モードｍ１は最も積極的なモードであり、Ｒ4の値がデータレートを数個のフレーム間で複数レベル高い他のデータレートに移行させる。その上、Ｒ4伝送のための上側のデータレートに対してより高い確率がｆＲＡＢのより低い値に対応する。このことは、ＲＡＢがセットされてなく、かつ適当なデータが有効であるときにＡＴがその伝送レートを高い確率で増加させることができることを意味する。ダウンワード伝送確率も低く、従って、ＲＡＢがセットされているときはＡＴはその伝送レートを低下させる可能性は低い。
【手続補正６】
【補正対象書類名】明細書
【補正対象項目名】００６０
【補正方法】変更
【補正の内容】
【００６０】
一実施形態においては、合計２個の閾値（Ｎ＝２）と３個のモードとがある。モード２とモード３とは一つのレベルにつき伝送レートの向上を可能とし、モードｍ1においては３個のモードの内でもっとも積極的な動作を持つ。これにより、最も低いレートから複数レベル上の指定された高いレートでの伝送を即時にできるようになる。例えば、モードｍ1が選択され、このとき最後のＲＡＢがセットされない（セクタがノットビジー）でかつ適切なデータが存在するときは、ＡＴでは０ｋｂｐｓから３８．４ｋｂｐｓまたは１９．２ｋｂｐｓへの即時の伝送レート上昇が可能である。他の実施形態では、モードｍ1が選択され、このとき最後のＲＡＢがセットされない（セクタがノットビジー）でかつ適切なデータが存在するときは、ＡＴではいかなるレートから７６．８ｋｂｐｓまたは１５３．６ｋｂｐｓへの即時の伝送レート上昇が可能である。
【手続補正７】
【補正対象書類名】明細書
【補正対象項目名】００６１
【補正方法】変更
【補正の内容】
【００６１】
幾つかのアプリケーションにおいて、アクセス端末はデータを突発的に伝送するのみでその他の時間にはアイドル状態（いかなるデータも送信しない）に維持されるアプリケーションで動作している。このようなアクセス端末に対しては、データレートを早急に高いレートに移行させ、データバーストの伝送を終了させて次のデータバーストがくるまではアイドルに保持されるようにすることが望ましい。このため、Ｒ4を決定するための種々のモードを持つ多くの発明の実施形態を用いることができる。ここで、選択されたモードはＲＡＢのフィルタを通った値に基づいている。長い時間アイドル状態であるアクセス端末に対しては、Ｒ4の計算のためのモードを選択するために図６に示したアルゴリズムを用いることができる。図５と図６に示したアルゴリズムの主な相違点は、ＲＡＢフィルタに供給されるデータビットに関係している。アクセス端末がデータを送信しているときは、アクセスポイントから受信したＲＡＢの値はフィルタに供給される。もしアクセス端末からデータが送信されていないときは、ＲＡＢフィルタには“０”にセットされたＲＡＢ値が供給される。フィルタの出力は動作モードを決定するために用いられる。この場合、アイドルモードのアクセス端末は新しくデータを受信するとＲ4を計算するためにアグレッシブモードで動作させられる。基本的に、これはセクタが無負荷であって、データが存在するときにＡＴにおいてデータレートの上昇を積極的に行うことが可能であることを必要とする。アイドル状態のアクセス端末におけるデータ受信動作は通常は非相関状態であるから、このような突発性の積極的な動作は安定な動作を維持するために制御することができる。